(57)【要約】      （修正有）【課題】駒における駒ピンの周囲に亀裂が生じるのを防止し、それにより、駒の外観を良好に保つことができるとともに、ピアノの良好な音響性能を長期間にわたって維持することができる駒ピンの取付構造を提供する。【解決手段】ピアノにおいて、弦を係止するための駒ピン７を木製の駒６に取り付けるための駒ピンの取付構造であって、駒ピン７は、駒６に埋設される埋設部１１と、弦１を駒６に接触させた状態に係止するための弦係止部１２と、を有しており、埋設部１１の周面には、カプセル壁内に駒６の亀裂を防止するための液剤が封入された多数のマイクロカプセル固着され、各マイクロカプセルは、駒ピン７の埋設部１１が駒６に埋設されるときの、駒６からの押圧力によって、カプセル壁が破れることにより、カプセル壁内の液剤が駒６に浸透する。【選択図】図４
2013164469.tif 000002
【特許請求の範囲】
【請求項１】
ピアノにおいて、弦を係止するための駒ピンを木製の駒に取り付けるための駒ピンの取付構造であって、
前記駒ピンは、
前記駒に埋設される埋設部と、
この埋設部に連なるとともに前記駒から外方に突出し、前記弦を前記駒に接触させた状態に係止するための弦係止部と、を有しており、
前記埋設部の周面には、各々のカプセル壁内に前記駒の亀裂を防止するための所定の液剤が封入された多数のマイクロカプセルが固着され、
前記各マイクロカプセルは、前記駒ピンの前記埋設部が前記駒に埋設されるときの、当該駒からの押圧力によって、前記カプセル壁が破れることにより、当該カプセル壁内の前記所定の液剤が前記駒に浸透するように構成されていることを特徴とする駒ピンの取付構造。
【請求項２】
前記多数のマイクロカプセルは、前記駒ピンの前記埋設部が前記駒に埋設される前に、液状のバインダーに混合された状態で、前記埋設部の周面に塗布されることにより、当該埋設部に固着されることを特徴とする請求項１に記載の駒ピンの取付構造。
【請求項３】
前記所定の液剤は、接着剤であることを特徴とする請求項１または２に記載の駒ピンの取付構造。
【請求項４】
前記埋設部の周面には、雄ねじが形成されていることを特徴とする請求項１ないし３のいずれかに記載の駒ピンの取付構造。
【請求項５】
前記埋設部の周面には、ローレット目が形成されていることを特徴とする請求項１ないし３のいずれかに記載の駒ピンの取付構造。
【発明の詳細な説明】
【技術分野】
【０００１】
本発明は、グランドピアノなどのアコースティックピアノにおいて、弦を係止するための駒ピンを木製の駒に取り付けるための駒ピンの取付構造に関する。
【背景技術】
【０００２】
従来、駒および駒ピンによって弦を支持するグランドピアノとして、例えば特許文献１に開示されたものが知られている。このピアノでは、響板上に、その表面に沿って延びる細長い木製の駒が取り付けられており、その駒には、前後２本を一組とする多数組の駒ピンが、駒の長さ方向に沿って、弦ごとに配置されている。各駒ピンは一般に、細長い金属製のピンから成り、長さ方向の下半部が駒に埋設され、かつ上半部が上方に延びるように、駒に取り付けられている。また、弦は、駒を横切るように、前後方向に延びるとともに、対応する前後の駒ピン間を通るように張設され、それらの駒ピンによって、横こじ（サイドベアリング）を与えられ、かつ駒の上面に押し付けられた状態に係止される。
【０００３】
上記の駒ピンを駒に取り付ける際には通常、駒において、駒ピンを取り付けるべき多数の所定位置にそれぞれ、駒ピンよりも若干小さい径を有する取付穴を開け、各取付穴に駒ピンを打ち込む。これにより、駒ピンは、その下半部が取付穴に埋設された状態で、駒にしっかりと取り付けられる。
【先行技術文献】
【特許文献】
【０００４】
【特許文献１】特開２００３−３４５３４１号公報
【発明の概要】
【発明が解決しようとする課題】
【０００５】
上記のピアノでは、張設された弦に、駒ピンで横こじを与えるようにしているため、駒ピンには、弦から大きな荷重が常時、作用する。このため、駒ピンを支持する駒にも、駒ピンからの荷重が常時、作用するので、ピアノの経年使用に伴い、駒における駒ピンの周囲には、取付穴から外側に延びる微小な亀裂、いわゆる毛割れが生じることがある。この場合には、駒の見栄えが悪くなり、外観上好ましくない。また、上記のような亀裂の発生に伴い、駒に取り付けられた駒ピンが緩むおそれがあり、弦を適切に係止できなくなることもある。この場合、弦の振動を、駒を介して響板に適切に伝達できなくなり、ピアノの音響性能が低下してしまう。
【０００６】
本発明は、以上のような課題を解決するためになされたものであり、駒における駒ピンの周囲に亀裂が生じるのを防止し、それにより、駒の外観を良好に保つことができるとともに、駒ピンの緩みを防止できることで、駒ピンによる弦の適切な係止を確保し、ピアノの良好な音響性能を長期間にわたって維持することができる駒ピンの取付構造を提供することを目的とする。
【課題を解決するための手段】
【０００７】
上記の目的を達成するために、請求項１に係る発明は、ピアノにおいて、弦を係止するための駒ピンを木製の駒に取り付けるための駒ピンの取付構造であって、駒ピンは、駒に埋設される埋設部と、この埋設部に連なるとともに駒から外方に突出し、弦を駒に接触させた状態に係止するための弦係止部と、を有しており、埋設部の周面には、各々のカプセル壁内に駒の亀裂を防止するための所定の液剤が封入された多数のマイクロカプセルが固着され、各マイクロカプセルは、駒ピンの埋設部が駒に埋設されるときの、駒からの押圧力によって、カプセル壁が破れることにより、カプセル壁内の所定の液剤が駒に浸透するように構成されていることを特徴とする。
【０００８】
この構成によれば、木製の駒に取り付けられる駒ピンは、駒に埋設される埋設部と、この埋設部に連なるとともに駒から外方に突出する弦係止部とを有している。この弦係止部により、弦が駒に接触した状態に係止される。また、駒ピンの埋設部の周面には、多数のマイクロカプセルが固着されており、各マイクロカプセルには、カプセル壁内に、駒の亀裂を防止するための所定の液剤（以下、本欄において「亀裂防止用液剤」という）が封入されている。このようなマイクロカプセルを固着した駒ピンを、駒に取り付ける場合、駒ピンの埋設部が駒に埋設されるときに、駒からの押圧力によって、マイクロカプセルのカプセル壁が破れ、その中の亀裂防止用液剤が、駒に浸透する。これにより、木製の駒における駒ピンの周囲において、木の繊維同士が互いに強固に接着したり、それらの繊維自体が硬化したりすることなどにより、駒の亀裂を効果的に防止することができる。このように、駒における駒ピンの周囲に亀裂が生じるのを防止できることにより、駒の外観を良好に保つことができるとともに、駒ピンの緩みを防止できることで、駒ピンによる弦の適切な係止を確保し、ピアノの良好な音響性能を長期間にわたって維持することができる。
【０００９】
請求項２に係る発明は、請求項１に記載の駒ピンの取付構造において、多数のマイクロカプセルは、駒ピンの埋設部が駒に埋設される前に、液状のバインダーに混合された状態で、埋設部の周面に塗布されることにより、埋設部に固着されることを特徴とする。
【００１０】
この構成によれば、多数のマイクロカプセルが、液状のバインダーに混合された状態で、駒ピンの埋設部の周面に塗布されるので、その埋設部の周面に、多数のマイクロカプセルを、比較的容易に均一に固着させることができる。それにより、マイクロカプセルからの亀裂防止用液剤を、駒における駒ピンの埋設部の周囲に、ほぼ均一に浸透させることができる。また、バインダーとして、マイクロカプセルを駒ピンの埋設部に固着させた状態で、自身が乾燥するものを採用することにより、マイクロカプセルの固着状態を確保しながら、駒ピンの埋設部をドライな状態に維持することができる。それにより、駒への取付け前の駒ピンにおいて、良好な取扱い性および保管性を確保することができる。
【００１１】
請求項３に係る発明は、請求項１または２に記載の駒ピンの取付構造において、所定の液剤は、接着剤であることを特徴とする。
【００１２】
この構成によれば、亀裂防止用液剤として、接着剤を用いるので、その接着剤によって、駒の木の繊維同士を強固に接着できることに加えて、駒ピン自体を駒に強固に接着することができる。これにより、駒ピンの緩みをより一層、防止することができる。
【００１３】
請求項４に係る発明は、請求項１ないし３のいずれかに記載の駒ピンの取付構造において、埋設部の周面には、雄ねじが形成されていることを特徴とする。
【００１４】
この構成によれば、雄ねじが形成された埋設部を駒にねじ込むことによって、駒ピンが駒に取り付けられる。この場合、埋設部の周面が平滑な駒ピンに比べて、駒に対する駒ピンの接触面積が大きくなるとともに両者の密着度が高まり、それにより、駒ピンを駒に、より一層強固に取り付けることができる。
【００１５】
請求項５に係る発明は、請求項１ないし３のいずれかに記載の駒ピンの取付構造において、埋設部の周面には、ローレット目が形成されていることを特徴とする。
【００１６】
この構成によれば、ローレット目が形成された埋設部を駒に打ち込むことによって、駒ピンが駒に取り付けられる。この場合、前記請求項４と同様、駒に対する駒ピンの接触面積が大きくなるとともに両者の密着度が高まり、それにより、駒ピンを駒に、より一層強固に取り付けることができる。
【図面の簡単な説明】
【００１７】
【図１】本発明の一実施形態による駒ピンの取付構造を適用したグランドピアノにおいて、中音部用の弦の設置状態を示す斜視図である。
【図２】駒ピンを示す図である。
【図３】単一のマイクロカプセルを、一部を切り欠いた状態で拡大して示す図である。
【図４】駒および駒ピンを示す図であり、（ａ）は駒ピンの取付け前、（ｂ）は駒ピンの取付け後の状態を示す。
【図５】駒ピンを駒に取り付けるときのマイクロカプセルの状態を説明するための説明図である。
【図６】駒ピンの変形例を示す図であり、（ａ）は埋設部に雄ねじが形成された駒ピン、（ｂ）は埋設部にローレット目が形成された駒ピンである。
【発明を実施するための形態】
【００１８】
以下、図面を参照しながら、本発明の好ましい実施形態を詳細に説明する。図１は、本発明の一実施形態による駒ピンの取付構造を適用したグランドピアノにおいて、中音部用の弦の設置状態を示している。同図に示す弦１は、中音部の１つの鍵（図示せず）に対応し、３本の弦で構成されている。
【００１９】
各弦１は、前後方向（図１の上下方向）に延びており、前端部（図１の下端部）が、チューニングピン２に巻き付けられる一方、後端部（図１の上端部）が、ヒッチピン３に掛け止めされている。また、チューニングピン２寄りの位置には、各弦１を貫通させた状態で支持するアグラフ４が設けられ、このアグラフ４によって、３本の弦１が、互いに左右方向に所定間隔を隔てた状態に支持されている。また、ヒッチピン３寄りの位置には、三角枕５が設けられ、この三角枕５によって、３本の弦１が、下方から支持されている。そして、アグラフ４と三角枕５との間には、三角枕５寄りの所定位置に、駒６が設けられ、これに取り付けられた駒ピン７によって、弦１が駒６の上面に接触した状態に係止されている。
【００２０】
駒６は、ブナやカエデなどの無垢の木材や合板などから成り、ほぼ矩形状の断面を有して細長く形成され、響板８（図４参照）上に、その表面に沿って（図４の表裏方向に沿って）、全体として曲線状に延びた状態で固定されている。また、駒６は、その前後の上隅部が斜めに切り欠かれており、それらの付近にそれぞれ、駒ピン７が取り付けられている。より具体的には、前後２本を一組とする複数組（図１では三組のみ図示）の駒ピン７が、駒６の長さ方向（図１の左右方向）に沿って、弦１ごとに配置されている。
【００２１】
駒ピン７は、真鍮や鉄などの金属から成り、図２に示すように、所定の長さおよび径を有するとともに、一端部（同図の下端部）が尖ったいわゆる無頭の丸釘状に形成されている。この駒ピン７は、駒６に埋設される埋設部１１と、これに連なり、弦１を係止するための弦係止部１２とを有している。そして、駒ピン７の埋設部１１の周面には、所定の粒径（例えば、０．１〜１０００μｍ）を有する多数のマイクロカプセル１３が固着されている。
【００２２】
図３は、単一のマクロカプセル１３を、一部を切り欠いた状態で拡大して示している。同図に示すように、このマイクロカプセル１３は、その外壁を構成する球形のカプセル壁１３ａと、その内部に封入され、駒６の亀裂を防止するための所定の液剤（以下「亀裂防止用液剤」という）１３ｂとで構成されている。このマイクロカプセル１３は、種々の適当な製法（例えば、界面重合法、コアセルべーション法および噴霧乾燥法など）によって製造され、カプセル壁１３ａが所定のポリマーで、亀裂防止用液剤１３ｂが所定の接着剤でそれぞれ構成されている。
【００２３】
また、上記のマイクロカプセル１３は、駒ピン７が駒６に取り付けられる前に、所定のバインダーを介して、埋設部１１の周面に固着される。具体的には、バインダーとして、液状のものを使用し、そのバインダーに多数のマイクロカプセル１３が混合される。そして、それらのマイクロカプセル１３が、駒ピン７の埋設部１１の周面に塗布され、それにより、埋設部１１の周面には、多数のマイクロカプセル１３が均一に固着される。
【００２４】
なお、上記のバインダーは、マイクロカプセル１３を駒ピン７の埋設部１１に固着させた状態で、自身が乾燥するものである。このようなバインダーを使用することにより、埋設部１１に塗布されたマイクロカプセル１３の固着状態を確保しながら、駒ピン７の埋設部１１をドライな状態に維持することができる。
【００２５】
次に、駒６への駒ピン７の取付方法について説明する。図４（ａ）に示すように、まず、駒６に対し、ドリルなどを用いて、駒ピン７を取り付けるべき多数の所定位置に、下穴として、所定の取付穴６ａをそれぞれ穿設する。各取付穴６ａは、駒ピン７の埋設部１１とほぼ同じ長さ、および駒ピン７の径よりも若干小さい穴径を有し、鉛直線に対し、所定の角度で傾斜した状態に形成されている。そして、駒ピン７を、駒ピン打込み機などを用いて、取付穴６ａにそれぞれ打ち込む。これにより、図４（ｂ）に示すように、各駒ピン７は、その埋設部１１が取付穴６ａに埋設されるとともに、弦係止部１２が駒６から上方に突出し、鉛直線に対して所定の角度に傾斜した状態で、駒６に取り付けられる。
【００２６】
また、この場合、駒ピン７の埋設部１１が、駒６の取付穴６ａに圧入されるので、埋設部１１に固着されているマイクロカプセル１３には、取付穴６ａの壁面から押圧力が作用する。図５は、取付穴６ａへの駒ピン７の圧入時におけるマイクロカプセル１３のイメージを示している。同図に示すように、駒ピン７が取付穴６ａに、白抜き矢印の方向に圧入されると、駒ピン７の埋設部１１に固着されたマイクロカプセル１３であって、取付穴６ａ内に位置するものは、そのカプセル壁１３ａが取付穴６ａの壁面からの押圧力によって破れ、内部の亀裂防止用液剤１３ｂが、矢印で示すように外部に流出し、駒６に浸透する。
【００２７】
駒ピン７は、前述した従来の駒ピンと同様、張設された弦１に横こじを与えるようにしているため、駒ピン７には、弦１から大きな荷重が作用し、その駒ピン７を支持する駒６にも、駒ピン７からの荷重が作用する。このような駒ピン７からの荷重が駒６に作用しても、上述したように、駒ピン７側の亀裂防止用液剤１３ｂが、木製の駒６における埋設部１１の周囲全体にほぼ均一に浸透するので、駒６おける駒ピン７の周囲において、木の繊維同士が互いに強固に接着したり、それらの繊維自体が硬化したりすることなどにより、駒６の毛割れなどの亀裂を効果的に防止することができる。
【００２８】
以上のように、本実施形態によれば、駒６における駒ピン７の周囲に亀裂が生じるのを防止できることにより、駒６の外観を良好に保つことができるとともに、駒ピン７の緩みを防止できることで、駒ピン７による弦１の適切な係止を確保し、ピアノの良好な音響性能を長期間にわたって維持することができる。また、駒６への取付け前の駒ピン７において、マイクロカプセル１３の固着状態を確保しながら、埋設部１１をドライな状態に維持できるので、駒ピン７の良好な取扱い性および保管性を確保することができる。さらに、マイクロカプセル１３内の亀裂防止用液剤１３ｂとして、接着剤を用いるので、その接着剤によって、駒６の木の繊維同士を強固に接着できることに加えて、駒ピン７自体を駒６に強固に接着することができる。これにより、駒ピン７の緩みをより一層、防止することができる。
【００２９】
図６は、駒ピン７の変形例を示している。同図（ａ）に示すように、駒ピン７Ａは、前記駒ピン７に対し、埋設部１１に雄ねじ１４が形成されていること、および、弦係止部１２の先端部（同図の上端部）に、工具を係合させるための係合溝１２ａが形成されていることのみが異なっている。一方、同図（ｂ）に示すように、駒ピン７Ｂは、前記駒ピン７に対し、埋設部１１に、駒ピン７の長さ方向に凹凸が延びるローレット目１５が形成されていることのみが異なっている。
【００３０】
雄ねじ１４を有する駒ピン７Ａは、マイナスドライバーなどの工具が係合溝１２ａに係合された状態で、駒６の取付穴６ａにねじ込まれることによって、駒６に取り付けられる。この駒ピン７Ａは、埋設部１１の周面が平滑な前記駒ピン７に比べて、駒６に対する接触面積が大きくなるとともに密着度が高まる。それにより、駒ピン７Ａを駒６に、より一層強固に取り付けることができる。
【００３１】
一方、ローレット目１５を有する駒ピン７Ｂは、前記駒ピン７と同様、取付穴６ａに打ち込まれることによって、駒６に取り付けられる。この駒ピン７Ｂも、上記駒ピン７Ａと同様、駒６に対する接触面積が大きくなるとともに密着度が高まり、それにより、駒ピン７Ｂを駒６に、より一層強固に取り付けることができる。
【００３２】
なお、本発明は、説明した上記実施形態に限定されることなく、種々の態様で実施することができる。例えば、実施形態では、マイクロカプセル１３内の亀裂防止用液剤として、接着剤を採用したが、本発明はこれに限定されるものではなく、駒６における駒ピン７の周囲に浸透し、駒６の亀裂を防止できる機能を有するものであれば、液状の硬化剤や固着剤なども採用可能である。また、それらの接着剤、硬化剤および固着剤の成分については、上記の機能を有するものであれば、種々のものを採用することができる。また、実施形態では、本発明をグランドピアノに適用した場合を例示したが、アップライトピアノにももちろん、適用可能である。さらに、実施形態で示した駒６、駒ピン７、７Ａ、７Ｂ、およびマイクロカプセル１３の細部の構成などは、あくまで例示であり、本発明の趣旨の範囲内で適宜、変更することができる。
【符号の説明】
【００３３】
１    弦
６    駒
７    駒ピン
７Ａ  駒ピン
７Ｂ  駒ピン
１１    埋設部
１２    弦係止部
１３    マイクロカプセル
１３ａ  カプセル壁
１３ｂ  亀裂防止用液剤
１４    雄ねじ
１５    ローレット目
【図１】
2013164469.tif 000003
【図２】
2013164469.tif 000004
【図３】
2013164469.tif 000005
【図４】
2013164469.tif 000006
【図５】
2013164469.tif 000007
【図６】
2013164469.tif 000008